(57)【要約】  【課題】  輝度あたりが発生した場合に速やかに輝度あたりの発生を解消することができるプロジェクタ装置、及びプロジェクタ装置の調整方法を提供する。  【解決手段】  プロジェクタ装置１は、所定画像であるテストパターンをスクリーン３へ投射し、スクリーン３上に投射されたテストパターンをカメラ１２で撮像し、撮像画像の明るさを示す画像信号強度を制御部１１で計測する。画像信号強度が所定値以上となる輝度あたりが発生した場合は、画像信号強度が所定値よりも小となるまで、制御部１１は、プロジェクタ装置１が画像を投射する投射光度を減少させる。これにより、輝度あたりが発生した場合に速やかに輝度あたりの発生を解消することができる。【選択図】        図１
2006025053.tif 000002
【特許請求の範囲】
【請求項１】
画像に応じた投射光度で画像を外部のスクリーンへ投射する投射手段と、前記スクリーンに投射された画像を撮像する撮像手段とを備え、該撮像手段が生成した撮像画像に基づいて画像の投射に係る調整を行うプロジェクタ装置において、
前記撮像手段が生成した前記撮像画像の明るさを計測する手段と、
該手段が計測した前記明るさが所定範囲内に含まれるか否かを判定する手段と、
該手段により前記明るさが前記所定範囲外であると判定された場合に、前記明るさが前記所定範囲内に収まるように前記投射手段が投射する画像の投射光度を調整する手段と
を備えることを特徴とするプロジェクタ装置。
【請求項２】
画像に応じた投射光度で画像を外部のスクリーンへ投射する投射手段を備えるプロジェクタ装置において、
前記投射手段に、所定画像を前記スクリーンへ投射させる手段と、
前記スクリーンに投射された前記所定画像を撮像する手段と、
該手段が生成した撮像画像の明るさに係る画像信号強度を計測する計測手段と、
該計測手段が計測した前記画像信号強度が所定値以上であるか否かを判定する手段と、
該手段により前記画像信号強度が前記所定値以上であると判定された場合に、前記画像信号強度が前記所定値よりも小となるまで、前記投射手段が投射する画像の投射光度を減少させる減少手段と
を備えることを特徴とするプロジェクタ装置。
【請求項３】
画像に応じた投射光度で画像を外部のスクリーンへ投射する投射手段を備えるプロジェクタ装置において、
前記投射手段に、所定画像を前記スクリーンへ投射させる手段と、
前記スクリーンに投射された前記所定画像を撮像する撮像手段と、
該撮像手段が生成した撮像画像の明るさに係る画像信号強度を計測する計測手段と、
該計測手段が計測した前記画像信号強度が所定値以上であるか否かを判定する判定手段と、
該判定手段により前記画像信号強度が前記所定値以上であると判定された場合に、前記投射手段が投射する画像の投射光度を減少させる減少手段と
前記投射手段に、前記減少手段が減少させた投射光度で所定画像を前記スクリーンへ投射させる再投射手段と、
前記判定手段により前記画像信号強度が前記所定値よりも小であると判定されるまで、前記減少手段、前記再投射手段、前記撮像手段、前記計測手段及び前記判定手段が行う処理を繰り返させる手段と
を備えることを特徴とするプロジェクタ装置。
【請求項４】
前記減少手段は、前記投射手段が投射する画像の投射光度を所定量減少させるように構成してあることを特徴とする請求項２又は３に記載のプロジェクタ装置。
【請求項５】
前記減少手段は、前記投射手段が投射する画像の投射光度を所定割合減少させるように構成してあることを特徴とする請求項２又は３に記載のプロジェクタ装置。
【請求項６】
前記計測手段が計測した前記画像信号強度が所定の下限値よりも小であるか否かを判定する手段と、
該手段により前記画像信号強度が前記下限値よりも小であると判定された場合に、前記画像信号強度が前記下限値以上となるまで、前記投射手段が投射する画像の投射光度を増加させる手段と
を更に備えることを特徴とする請求項２乃至５のいずれかひとつに記載のプロジェクタ装置。
【請求項７】
前記所定画像はテストパターンであることを特徴とする請求項２乃至６のいずれかひとつに記載のプロジェクタ装置。
【請求項８】
画像に応じた投射光度で画像を外部のスクリーンへ投射するプロジェクタ装置を調整する方法において、
前記スクリーンに投射された画像を撮像し、
撮像した撮像画像の明るさを計測し、
前記明るさが所定範囲内に含まれるか否かを判定し、
前記明るさが前記所定範囲外であると判定された場合に、前記明るさが前記所定範囲内に収まるように前記投射手段が投射する画像の投射光度を調整すること
を特徴とするプロジェクタ装置の調整方法。
【発明の詳細な説明】
【技術分野】
【０００１】
本発明は、画像を投射するプロジェクタ装置、及びプロジェクタ装置を調整する方法に関する。
【背景技術】
【０００２】
プレゼンテーション又は映像の映写の分野では、パーソナルコンピュータ又は映像再生装置から画像データを入力され、画像データに基づいた画像を外部のスクリーンに対して投射するプロジェクタ装置が用いられている。このようなプロジェクタ装置は、液晶パネル又はＤＭＤ（Didital Micromirror Device）等の投射デバイス上に画像データに基づいた画像を形成し、投射デバイス上の画像を内部の光源からの光により外部のスクリーンへ投射する構成となっている。またこのようなプロジェクタ装置は、Ｒ（赤）Ｇ（緑）Ｂ（青）各色を合成した画像を投射するか、又はＲＧＢ各色の画像を時分割で投射することにより、カラー画像を投射することができる。
【０００３】
劇場等のようにスクリーンとプロジェクタ装置とが共に固定されている場合を除き、通常はスクリーンとプロジェクタ装置との相対位置は可変であるので、プロジェクタ装置は、適切な画像がスクリーンに投射されるように、画像の投射範囲、投射形状、及び焦点距離等の調整を行う必要がある。プロジェクタ装置を調整するための従来の技術は、例えば特許文献１に開示されている。プロジェクタ装置は、予め定められた所定画像（以下、テストパターンと言う）をスクリーンへ投射し、スクリーン上に投射されたテストパターンをカメラで撮像する。プロジェクタ装置は、撮像されたテストパターンの大きさがスクリーン上の適切な範囲に収まるように画像の投射範囲を調整し、撮像されたテストパターンの形が所定の形になるように画像の投射形状を調整する。
【０００４】
またプロジェクタ装置は、テストパターンを用いて焦点距離を調整することができる。図４は、焦点距離を調整するためのテストパターンの例を示す模式図である。図中には、垂直な複数の直線からなるテストパターンの例を示す。プロジェクタ装置は、例えば、撮像されたテストパターンを構成する各画素の明るさを示す画像信号強度の水平方向への変化に基づいて焦点距離を調整する。撮像されたテストパターンの明るい部分と暗い部分との画像信号強度の差は、焦点距離が最適値に近づくほど大きくなるので、画像信号強度の変化の振幅が最大となる焦点距離を最適値とすることにより、プロジェクタ装置は焦点距離を調整することができる。
【０００５】
以上の如くにして、従来のプロジェクタ装置は、テストパターンを投射することによって、画像の投射範囲、投射形状、及び焦点距離等の調整を自動で行うことができる。また従来のプロジェクタ装置は、カメラで撮像した画像の画像信号強度に応じて画像の投射光度を調整するＡＧＣ（Automatic Gain Control）機能を有している。
【特許文献１】特開２０００−２４１８７４号公報
【発明の開示】
【発明が解決しようとする課題】
【０００６】
ところで、プロジェクタ装置とスクリーンとの距離が近い場合、プロジェクタ装置が画像を投射する光度が高い場合、及びスクリーンの光反射率が高い場合は、スクリーンに投射されている画像の明るさが大きくなり、カメラで撮像された画像の各画素での明るさを示す輝度信号又はＲＧＢ信号である画像信号の強度が振り切れることがある。プロジェクタ装置は、処理を行うためにカメラで撮像された画像をＡＤ変換し、各画像信号強度を例えば０〜２５５等のデジタルデータで表すので、所定量以上の光量の光がカメラに入射された場合は、例えば２５５等の一定の値で画像信号強度が表されることとなる。以下、この現象を輝度あたりと言う。
【０００７】
またＲＧＢ各色の画像を時分割で投射するプロジェクタ装置の場合は、ＡＧＣ機能が動作する際にＲＧＢ各色の画像信号強度を積算してデータ量が大きくなるので、この場合でも輝度あたりが発生することがある。輝度あたりが発生した場合は、画像信号強度の値が実際の画像の明るさに対応しないので、プロジェクタ装置の調整が困難となり、また適切な画像を投射することが不可能になるという問題がある。
【０００８】
本発明は、斯かる事情に鑑みてなされたものであって、その目的とするところは、輝度あたりが発生した場合に速やかに輝度あたりの発生を解消することができるプロジェクタ装置、及びプロジェクタ装置の調整方法を提供することにある。
【０００９】
また本発明の他の目的とするところは、投射する画像が暗くなりすぎることを防止することができるプロジェクタ装置を提供することにある。
【課題を解決するための手段】
【００１０】
本発明に係るプロジェクタ装置は、画像に応じた投射光度で画像を外部のスクリーンへ投射する投射手段と、前記スクリーンに投射された画像を撮像する撮像手段とを備え、該撮像手段が生成した撮像画像に基づいて画像の投射に係る調整を行うプロジェクタ装置において、前記撮像手段が生成した前記撮像画像の明るさを計測する手段と、該手段が計測した前記明るさが所定範囲内に含まれるか否かを判定する手段と、該手段により前記明るさが前記所定範囲外であると判定された場合に、前記明るさが前記所定範囲内に収まるように前記投射手段が投射する画像の投射光度を調整する手段とを備えることを特徴とする。
【００１１】
本発明に係るプロジェクタ装置は、画像に応じた投射光度で画像を外部のスクリーンへ投射する投射手段を備えるプロジェクタ装置において、前記投射手段に、所定画像を前記スクリーンへ投射させる手段と、前記スクリーンに投射された前記所定画像を撮像する手段と、該手段が生成した撮像画像の明るさに係る画像信号強度を計測する計測手段と、該計測手段が計測した前記画像信号強度が所定値以上であるか否かを判定する手段と、該手段により前記画像信号強度が前記所定値以上であると判定された場合に、前記画像信号強度が前記所定値よりも小となるまで、前記投射手段が投射する画像の投射光度を減少させる減少手段とを備えることを特徴とする。
【００１２】
本発明に係るプロジェクタ装置は、画像に応じた投射光度で画像を外部のスクリーンへ投射する投射手段を備えるプロジェクタ装置において、前記投射手段に、所定画像を前記スクリーンへ投射させる手段と、前記スクリーンに投射された前記所定画像を撮像する撮像手段と、該撮像手段が生成した撮像画像の明るさに係る画像信号強度を計測する計測手段と、該計測手段が計測した前記画像信号強度が所定値以上であるか否かを判定する判定手段と、該判定手段により前記画像信号強度が前記所定値以上であると判定された場合に、前記投射手段が投射する画像の投射光度を減少させる減少手段と前記投射手段に、前記減少手段が減少させた投射光度で所定画像を前記スクリーンへ投射させる再投射手段と、前記判定手段により前記画像信号強度が前記所定値よりも小であると判定されるまで、前記減少手段、前記再投射手段、前記撮像手段、前記計測手段及び前記判定手段が行う処理を繰り返させる手段とを備えることを特徴とする。
【００１３】
本発明に係るプロジェクタ装置は、前記減少手段は、前記投射手段が投射する画像の投射光度を所定量減少させるように構成してあることを特徴とする。
【００１４】
本発明に係るプロジェクタ装置は、前記減少手段は、前記投射手段が投射する画像の投射光度を所定割合減少させるように構成してあることを特徴とする。
【００１５】
本発明に係るプロジェクタ装置は、前記計測手段が計測した前記画像信号強度が所定の下限値よりも小であるか否かを判定する手段と、該手段により前記画像信号強度が前記下限値よりも小であると判定された場合に、前記画像信号強度が前記下限値以上となるまで、前記投射手段が投射する画像の投射光度を増加させる手段とを更に備えることを特徴とする。
【００１６】
本発明に係るプロジェクタ装置は、前記所定画像はテストパターンであることを特徴とする。
【００１７】
本発明に係るプロジェクタ装置の調整方法は、画像に応じた投射光度で画像を外部のスクリーンへ投射するプロジェクタ装置を調整する方法において、前記スクリーンに投射された画像を撮像し、撮像した撮像画像の明るさを計測し、前記明るさが所定範囲内に含まれるか否かを判定し、前記明るさが前記所定範囲外であると判定された場合に、前記明るさが前記所定範囲内に収まるように前記投射手段が投射する画像の投射光度を調整することを特徴とする。
【００１８】
本発明においては、プロジェクタ装置は、スクリーンに投射された画像を撮像し、撮像画像の明るさが所定範囲外である場合に、撮像画像の明るさが所定範囲内に収まるように、プロジェクタ装置が画像を投射する投射光度を調整する。
【００１９】
本発明においては、プロジェクタ装置は、所定画像を外部のスクリーンへ投射し、スクリーンに投射された所定画像を撮像し、撮像画像の明るさに係る画像信号強度が所定値以上である場合に、画像信号強度が所定値よりも小となるまで、プロジェクタ装置が画像を投射する投射光度を減少させる。
【００２０】
また本発明においては、プロジェクタ装置は、画像を投射する投射光度を所定量ずつ段階的に減少させる。
【００２１】
また本発明においては、プロジェクタ装置は、画像を投射する投射光度を所定割合ずつ段階的に減少させる。
【００２２】
また本発明においては、プロジェクタ装置は、画像信号強度が所定の下限値よりも小となった場合に、画像信号強度が下限値以上となるように画像の投射光度を増加させる。
【００２３】
更に本発明においては、所定画像はプロジェクタ装置を調整するためのテストパターンである。
【発明の効果】
【００２４】
本発明にあっては、プロジェクタ装置とスクリーンとの距離が近い場合又はプロジェクタ装置が画像を投射する光度が高い場合等の種々の条件によって輝度あたりが発生した場合に、速やかに輝度あたりの発生を解消することができる。従って、プロジェクタ装置は、輝度あたりが発生しやすい状態でも、速やかに輝度あたりの発生を解消して調整を行い、適切な画像を投射することが可能となる。
【００２５】
また本発明にあっては、撮像画像の明るさが所定の下限値よりも小となった場合にプロジェクタ装置が画像を投射する投射光度を増加させることより、投射光度を減少させ過ぎて画像が暗くなることを防止して、適切な明るさの画像を投射することが可能となる等、本発明は優れた効果を奏する。
【発明を実施するための最良の形態】
【００２６】
以下本発明をその実施の形態を示す図面に基づき具体的に説明する。
図１は、本発明のプロジェクタ装置の内部構成を示すブロック図である。図中の矢印はデータを示し、白矢印は光を示す。プロジェクタ装置１は、キセノンランプ又は超高圧水銀ランプ等の光源１８と、光源１８からの光を集光する集光光学系１７と、画像を形成する投射デバイス１４と、投射デバイス１４上の画像を拡大して外部のスクリーン３へ投射する投射光学系１３とを備えている。プロジェクタ装置１は、光源１８からの光を集光光学系１７を通して投射デバイス１４に照射し、画像を形成した投射デバイス１４上で反射された光を投射光学系１３を通して投射することで、投射デバイス１４上の画像をスクリーン３へ投射する構成となっている。なお、光源１８からの光を投射デバイス１４上で反射させるのではなく透過させることで画像を投射する構成としてもよい。
【００２７】
集光光学系１７は、カラーフィルタ、レンズ又はプリズム等を用いてなり、光源からの光の集光・偏光・色分離等を行う。投射デバイス１４は、液晶パネル又はＤＭＤ（Didital Micromirror Device）等を一又は複数個用いてなり、ＲＧＢ各色の画像を形成する。投射光学系１３は、投射レンズ、投射レンズの位置を調整するモータ、モータを駆動させるための駆動回路等からなる。なお、投射光学系１３は、ＲＧＢ各色の画像を合成する色合成光学系を有する構成であってもよい。
【００２８】
またプロジェクタ装置１は、パーソナルコンピュータ又は映像再生装置等の外部の送信装置２から送信される画像データを受信する通信部１６と、通信部１６が受信した画像データを処理し、画像データに基づいた画像を投射デバイス１４に形成させる画像処理部１５とを備えている。従って、送信装置２から送信された画像データに基づいた画像がスクリーン３に投射されることとなる。
【００２９】
またプロジェクタ装置１は、スクリーン３に投射されている画像を撮像するカメラ１２を備えている。カメラ１２は、画像を撮像するＣＣＤ、及びＣＣＤが撮像した画像を示す画像信号をＡＤ変換してデジタルの画像信号にするＡＤ変換部等を用いてなる。更にプロジェクタ装置１は、プロジェクタ装置１全体の動作を制御する制御部１１を備えている。制御部１１は、演算を行うＣＰＵ、及びプログラムを記憶するフラッシュメモリ等からなる。カメラ１２は、撮像した画像を示す画像信号を制御部１１へ出力し、制御部１１は、カメラ１２から入力された画像信号に基づいて、投射光学系１３及び画像処理部１５の制御を行う。制御部１１は、投射光学系１３の駆動回路の動作を制御することにより、プロジェクタ装置１が投射する画像の投射範囲又は焦点距離等を制御する。また制御部１１は、画像処理部１５が投射デバイス１４に画像を形成させる処理を制御することにより、投射する画像の内容、画像の形状、色合い又は画像の投射光度等を制御する。
【００３０】
次に、本発明のプロジェクタ装置１の調整方法を説明する。図２は、本発明のプロジェクタ装置１が行う投射光度の調整の処理の手順を示すフローチャートである。制御部１１は、画像処理部１５を制御してテストパターンを投射デバイス１４に形成させることによって、プロジェクタ装置１からスクリーン３へテストパターンを投射させる（Ｓ１１）。制御部１１は、スクリーン３上に投射されたテストパターンをカメラ１２に撮像させる（Ｓ１２）。カメラ１２は、テストパターンを撮像した撮像画像を示す画像信号を生成して制御部１１へ出力し、制御部１１は、カメラ１２から入力される画像信号を受け付ける（Ｓ１３）。画像信号は、撮像画像を構成する各画素での明るさを示す輝度信号、又は各画素での各色の明るさを示すＲＧＢ信号からなる。
【００３１】
制御部１１は、次に、受け付けた画像信号の画像信号強度を計測する（Ｓ１４）。このとき、制御部１１は、撮像画像を構成する全ての画素の画像信号強度を計測してもよく、また選択された一部の画素の画像信号強度を計測してもよい。制御部１１は、次に、計測した画像信号強度に予め定められた所定値以上の画像信号強度があるか否かを判定する（Ｓ１５）。所定値以上の画像信号強度がある場合は（Ｓ１５：ＹＥＳ）、画像信号強度が振り切れる輝度あたりが発生している場合であるので、制御部１１は、画像処理部１５が投射デバイス１４に形成させる画像の明るさを変化させることによって、プロジェクタ装置１からスクリーン３へ投射される画像の投射光度を所定量だけ減少させる（Ｓ１６）。制御部１１は、次に、処理をステップＳ１１へ戻して、減少した投射光度でテストパターンを投射させる。制御部１１は、ステップＳ１５で画像信号強度が所定値よりも小となるまで、ステップＳ１１〜ステップＳ１６の処理を繰り返す。
【００３２】
ステップＳ１５で画像信号強度が所定値よりも小である場合は（Ｓ１５：ＮＯ）、輝度あたりは発生していないので、制御部１１は、投射光度を調整する処理を終了する。画像信号強度が所定値よりも小となるまで画像の投射光度が段階的に減少するので、輝度あたりが解消される。
【００３３】
また本発明のプロジェクタ装置１は、画像の投射光度を減少させるだけではなく、適切な画像の明るさに対応する所定範囲内に撮像画像の画像信号強度が収まるように画像の投射光度を調整する構成であってもよい。図３は、撮像画像の画像信号強度が所定範囲内に収まるように画像の投射光度を調整する処理の手順を示すフローチャートである。制御部１１は、プロジェクタ装置１からスクリーン３へテストパターンを投射させ（Ｓ２１）、スクリーン３上に投射されたテストパターンをカメラ１２に撮像させる（Ｓ２２）。カメラ１２は、テストパターンを撮像した撮像画像を示す画像信号を生成して制御部１１へ出力し、制御部１１は、カメラ１２から入力される画像信号を受け付ける（Ｓ２３）。
【００３４】
制御部１１は、次に、受け付けた画像信号の画像信号強度を計測し（Ｓ２４）、計測した画像信号強度に予め定められた上限値以上の画像信号強度があるか否かを判定する（Ｓ２５）。上限値以上の画像信号強度がある場合は（Ｓ２５：ＹＥＳ）、制御部１１は、プロジェクタ装置１からスクリーン３へ投射される画像の投射光度を所定量だけ減少させる（Ｓ２６）。制御部１１は、次に、処理をステップＳ２１へ戻して、減少した投射光度でテストパターンを投射させる。
【００３５】
ステップＳ２５で画像信号強度が上限値よりも小である場合は（Ｓ２５：ＮＯ）、制御部１１は、計測した画像信号強度の最大値が予め定められた下限値よりも小であるか否かを判定する（Ｓ２７）。この下限値は上限値よりも小さい値に定められている。画像信号強度の最大値が下限値よりも小である場合は（Ｓ２７：ＹＥＳ）、投射光度を減少させ過ぎて画像が暗くなっている状態であるので、制御部１１は、ステップＳ２６での減少量よりも小さい所定量だけ、プロジェクタ装置１からスクリーン３へ投射される画像の投射光度を増加させる（Ｓ２８）。制御部１１は、次に、処理をステップＳ２１へ戻して、増加した投射光度でテストパターンを投射させる。
【００３６】
ステップＳ２７で画像信号強度の最大値が下限値以上である場合は（Ｓ２７：ＮＯ）、制御部１１は、投射光度を調整する処理を終了する。画像信号強度が下限値よりも小である場合に画像信号強度が下限値以上となるまで画像の投射光度が段階的に増加するので、投射光度を減少させるのみでは投射光度を減少させ過ぎて画像が暗くなることが防止される。
【００３７】
画像の投射光度の調整が終了した後は、プロジェクタ装置１は、テストパターンを利用して画像の投射範囲、投射形状、及び焦点距離等の調整を行い、全ての調整が終了した後は、通信部１６が受信した画像データに基づいた画像を投射する。
【００３８】
以上詳述した如く、本発明においては、スクリーン３に投射されたテストパターンをカメラ１２で撮像し、撮像画像の画像信号強度が所定値以上となる輝度あたりが発生した場合は、画像信号強度が所定値よりも小となるまで、プロジェクタ装置１が画像を投射する投射光度を減少させる。これにより、プロジェクタ装置１とスクリーン３との距離が近い場合等の種々の条件によって輝度あたりが発生した場合に、速やかに輝度あたりの発生を解消することができる。従って、本発明のプロジェクタ装置１は、輝度あたりが発生しやすい状態でも、速やかに輝度あたりの発生を解消して調整を行い、適切な画像を投射することが可能となる。
【００３９】
また、投射光度を減少させるのみでは投射光度を減少させ過ぎて画像が暗くなる可能性があるので、本発明のプロジェクタ装置１は、撮像画像の画像信号強度が所定の下限値よりも小となった場合は、画像信号強度が下限値以上となるまで、プロジェクタ装置１が画像を投射する投射光度を増加させる。これにより、投射光度を減少させ過ぎて画像が暗くなることを防止して、適切な明るさの画像を投射することが可能となる。
【００４０】
なお、本実施の形態においては、プロジェクタ装置１は、画像信号強度の最大値が下限値よりも小である場合に画像の投射光度を増加させる形態としているが、これに限るものではなく、画像信号強度の最小値が下限値よりも小である場合に画像の投射光度を増加させる形態としてもよい。また本実施の形態においては、プロジェクタ装置１は、予め定められた下限値と画像信号強度とを比較する処理を行う形態を示しているが、下限値を用いることなく、画像の投射光度を減少させて輝度あたりの発生が解消した後に、投射光度の一段階の減少量よりも小である光量だけ画像の投射光度を増加させる処理を行うことにより、画像が暗くなることを防止する形態であってもよい。
【００４１】
また本実施の形態においては、プロジェクタ装置１は、画像の投射光度を減少させる場合には一段階に所定量だけ減少させ、投射光度を増加させる場合には減少量よりも小である所定量だけ一段階に増加させる形態を示しているが、これに限るものではなく、例えば一段階に３０％等の所定割合だけ投射光度を減少又は増加させる形態であってもよい。またプロジェクタ装置１は、図示しない操作部にて使用者の操作による指示を受け付けるか又は送信装置２から送信された指示を通信部１６で受け付けることにより、投射光度の一段階の変化量又は変化割合、画像信号強度の上限値及び下限値等の値の変更指示を受け付け、これらの値を変更させることが可能な形態としてもよい。
【００４２】
また本実施の形態においては、プロジェクタ装置１は、投射デバイス１４に形成させる画像の明るさを変化させることによって画像の投射光度を調整する形態としているが、これに限るものではなく、遮光フィルタを用いて投射光学系１３から放射される光量を減少させる等のその他の方法を用いて画像の投射光度を調整する形態であってもよい。
【００４３】
また本実施の形態においては、プロジェクタ装置１は、テストパターンを投射している状態で投射光度の調整を行う形態としているが、これに限るものではなく、通信部１６が受信した画像データに基づいた画像を投射している状態で投射光度の調整を行う形態であってもよい。また本実施の形態においては、プロジェクタ装置１は、画像の投射光度の全体を調整する処理を行う形態としているが、投射される画像の画素単位で投射光度を調整する処理を行う形態であってもよい。
【００４４】
また本実施の形態においては、プロジェクタ装置１は、通信部１６が受信した画像データに基づいた画像を投射する形態としているが、これに限るものではなく、ＤＶＤ又はハードディスク等の記録媒体に記録された画像データを読み出す手段を内部に備え、読み出した画像データに基づいた画像を投射する形態であってもよい。
【図面の簡単な説明】
【００４５】
【図１】本発明のプロジェクタ装置の内部構成を示すブロック図である。
【図２】本発明のプロジェクタ装置が行う投射光度を調整する処理の手順を示すフローチャートである。
【図３】撮像画像の画像信号強度が所定範囲内に収まるように画像の投射光度を調整する処理の手順を示すフローチャートである。
【図４】焦点距離を調整するためのテストパターンの例を示す模式図である。
【符号の説明】
【００４６】
１  プロジェクタ装置
１１  制御部
１２  カメラ
１４  投射デバイス
１５  画像処理部
３  スクリーン
【図１】
2006025053.tif 000003
【図２】
2006025053.tif 000004
【図３】
2006025053.tif 000005
【図４】
2006025053.tif 000006